(57)【要約】      （修正有）【課題】外観デザインが極めて重要視される服飾品に用いることのできる裾周りの長さ調整機構を提供する。【解決手段】長さ調整機構はスライドアジャスタ８を備え、スライドアジャスタは合成樹脂製のバンド１０とバックル２０からなり、バンド外表面に形成した鋸歯状の係合溝にバックルの係合爪を係合させ係止状態においてバンドはバックルに接近自在であるが後退不能とされ、バックルが裾裏に固定され、バンドとバックルの接近時には裾周りが収縮し、バンドとバックルの離隔時には裾周りが伸長する。【選択図】図１
2011120862.tif 000002
【特許請求の範囲】
【請求項１】
スライドアジャスタを備えた裾周りの長さ調整機構において、
該スライドアジャスタは合成樹脂製のバンドとバックルからなり、バンド外表面に形成した鋸歯状の係合溝にバックルの係合爪を係合させ該係止状態においてバンドはバックルに接近自在であるが後退不能とされ、
前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板は前記係合爪と前記押圧部の中間点にて前記両側板又は前記天井枠を結ぶ連結軸で支承することにより該中間点を支点として揺動自在とされてなり、
前記バックルが裾裏に固定され、
前記バンドとバックルの接近時には裾周りが収縮し、前記バンドとバックルの離隔時には裾周りが伸長することを特徴とする裾周りの長さ調整機構。
【請求項２】
前記裾周りが帽子またはサンバイザのサイズ元（クラウン最下部）であって、前記バックルがサイズ元の内側またはびん皮に固定されてなる請求項１記載の帽子またはサンバイザの頭周りの長さ調整機構。
【請求項３】
内側に前記バンドまたはバックルが位置する部分のびん皮に、可視化手段を備えた請求項２記載の帽子またはサンバイザの頭周りの長さ調整機構。
【請求項４】
前記バンドが前記サイズ元の内側（頭部と接触する面）に露出してなる請求項２記載の帽子の頭周りの長さ調整機構。
【請求項５】
前記バンドが前記サイズ元の内側に沿って１周する長さを有する請求項４記載の帽子の頭周りの長さ調整機構。
【請求項６】
前記押圧部に相当する帽体生地にマークが記されてなる請求項２記載の帽子またはサンバイザの頭周りの長さ調整機構。
【請求項７】
前記押圧部に相当する帽体生地に開口を有する請求項２記載の帽子またはサンバイザの頭周りの長さ調整機構。
【請求項８】
前記びん皮とサイズ元の間にバンドの前端部が進入可能な鞘が設けられてなる請求項２記載の帽子またはサンバイザの頭周りの長さ調整機構。
【請求項９】
前記びん皮および／またはサイズ元において、前記バンドの前端部の進入位置に摩擦低減シートが設けられてなる請求項２記載の帽子またはサンバイザの頭周りの長さ調整機構。
【発明の詳細な説明】
【技術分野】
【０００１】
この発明は、スライドアジャスタを備えた裾周りの長さ調整機構に関するものである。
【背景技術】
【０００２】
従来、帽子またはサンバイザのサイズ調整機構としては、ベルトを使用してアジャスタとレールを設けるもの、アメリカンホック式のもの、面ファスナーによるもの等が知られている。
アジャスタとレールによる方式は、レール上にアジャスタをスライドさせてサイズ調整するものであるが、現在はあまり使用されていない。アメリカンホックは、７つ前後の穴を開けたベルトとホック付きのベルトを組合せ、穴に嵌める位置をずらすことでサイズ調整を行う。
面ファスナーを使用すれば、表生地と同じ生地でベルトを作成することができ、帽体の風合いを崩すことがない。しかしながら、面ファスナーは一般に雨水や水分に弱いことに加えて、埃等が付着し易く、接合強度が低下する場合がある。
【０００３】
一方、ベルトを使用せずに、帽子のびん皮またはびん皮の一部をゴム製とすることによって、サイズ調整を行うことも行われている。ビン皮全体を伸縮性のあるものとすると、吸汗性、速乾性、防臭性等、ビン皮としての機能を損なう虞がある。ビン皮の一部にゴムを使用する場合には、帽体にタックを入れたり、伸縮性のある生地を用いることが必要となる。また、ゴムの接合強度は経年変化が大きく、低下する可能性がある。
【０００４】
本発明者は、帽子、ズボンまたはスカート等の外観デザインが極めて重要視される服飾品に用いることのできるスライドアジャスタに関し、バンド外表面に形成した鋸歯状の係合溝にバックルの係合爪を係合させ該係止状態においてバンドはバックルに接近自在であるが後退不能としたバンドとバックルのスライドアジャスタにおいて、前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板を前記係合爪と前記押圧部の中間点にて前記両側板を結ぶ連結軸で支承することにより該中間点を支点として揺動自在とし、前記バンドの外表面と前記押圧部に、前記バックルとバンドとを片手の指先で引き寄せることのできる一対の掛止突起を設けてなることを特徴とするスライドアジャスタを提案している（特許第４００５１０９号公報：特許文献１）。
【先行技術文献】
【特許文献】
【０００５】
【特許文献１】特許第４００５１０９号公報
【発明の概要】
【発明が解決しようとする課題】
【０００６】
特許第４００５１０９号公報記載のスライドアジャスタを用いれば、その殆どの部分が帽子、ズボンまたはスカート等の内側に隠れるものの、一部の部材は服飾品の外観に現れることになる。
而して、デザインの自由度を高める為にスライドアジャスタ等のサイズ調整機構が帽子、サンバイザ等の服飾品の外観に現れることのないサイズ調整機構が求められている。
即ち、本発明は外観デザインが極めて重要視される服飾品に用いることのできるサイズ調整機構を提供する。
【課題を解決するための手段】
【０００７】
本発明は、スライドアジャスタを備えた裾周りの長さ調整機構において、
該スライドアジャスタは合成樹脂製のバンドとバックルからなり、バンド外表面に形成した鋸歯状の係合溝にバックルの係合爪を係合させ該係止状態においてバンドはバックルに接近自在であるが後退不能とされ、
前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板は前記係合爪と前記押圧部の中間点にて前記両側板又は前記天井枠を結ぶ連結軸で支承することにより該中間点を支点として揺動自在とされてなり、
前記バックルが裾裏に固定され、
前記バンドとバックルの接近時には裾周りが収縮し、前記バンドとバックルの離隔時には裾周りが伸長することを特徴とするものである
【０００８】
前記長さ調整機構は、前記裾周りが帽子またはサンバイザのサイズ元（クラウン最下部）であって、前記バックルがサイズ元の内側またはびん皮に固定されてなる帽子またはサンバイザの頭周りの長さ調整機構であることが好ましい。
【０００９】
前記帽子またはサンバイザの頭周りの長さ調整機構は、内側に前記バンドまたはバックルが位置する部分のびん皮に、可視化手段を備えたことが好ましい。
前記バンドが前記サイズ元の内側（頭部と接触する面）に露出してなることが好ましい。
前記バンドが前記サイズ元の内側に沿って１周する長さを有することが好ましい。
【００１０】
前記押圧部に相当する帽体生地にマークが記されてなることが好ましい。
前記押圧部に相当する帽体生地に開口を有することが好ましい。
【００１１】
前記びん皮とサイズ元の間にバンドの前端部が進入可能な鞘が設けられてなることが好ましい。
前記びん皮および／またはサイズ元において、前記バンドの前端部の進入位置に摩擦低減シートが設けられてなることが好ましい。
【発明の効果】
【００１２】
外観にスライドアジャスタ等のサイズ調整機構が一切現れないので、帽子等の服飾品をデザインする上で自由度が飛躍的に高まると共に、高級感を付加することができる。
スライドアジャスタを軽量でシンプルな構成としたので、サイズ調整を迅速、容易に行うことができる。
【図面の簡単な説明】
【００１３】
【図１】本発明の要部である裾周りの長さ調整機構を透視して描いた帽子の右後部上方から見た斜視図である。
【図２】スライドアジャスタ８の平面図（図２（１））と、同図のｚ−ｚ切断線における縦断側面図（図２（２）、（３））である。
【図３】本発明の裾周りの長さ調整機構を備えた帽子を右後部上方から見た斜視図である。
【図４】本発明の裾周りの長さ調整機構を備えた帽子の背面図である。
【図５】可視化手段を備えたびん皮４の部分平面図である。
【符号の説明】
【００１４】
２      帽体
３      サイズ元
４      びん皮
５      可視化手段としての貫通孔
８      スライドアジャスタ
１０    バンド
１２    係合溝
２０    バックル
２４    バックル本体
３０    操作板
３１    係合爪
３２    押圧部
４０    開口
４１    マーク
【発明を実施するための形態】
【００１５】
以下、本発明に係る裾周りの長さ調整機構を備えた帽子の実施形態を、図面に基づいて説明するが、同調整機構を備えたサンバイザについても同様の構成によって所期の目的と効果が達成されるものである。
図１は、本発明の要部である裾周りの長さ調整機構を透視して描いた帽子を右後部上方から見た斜視図であり、帽子を構成する帽体２、サイズ元（「クラウン最下部」、「頭周り」とも呼ばれる。）３、びん皮（すべり、サイズベルトとも云う。）４が示されている。
【００１６】
帽子の内部に設けられるスライドアジャスタ８については図２を用いて後述するように、バンド１０とバックル２０とからなり、バックル２０はびん皮４と帽体２の間に固定される。より具体的には、バックル２０は、びん皮４または帽体２の生地のいずれかに固定される。また、後述するようなバンド１０をサイズ元３の内側に沿って１周する長さとする場合を除けば、バンド１０もびん皮４または帽体２の生地のいずれかに取付部７にて固定される。なお、バンド１０およびバックル２０は、サイズ元３の円周方向のいずれの位置にも設けることができるので、後述する係合解除用の押圧部３２もサイズ元３の任意の位置に設けることができる。
【００１７】
次に、図２を用いてスライドアジャスタを説明する。
図２にはバンド１０とバックル２０からなるスライドアジャスタが示されており、図２（１）はその平面図、図２（２）は図２（１）のｚ−ｚ切断線における縦断側面図である。
【００１８】
これらの図において、所要の長さ、幅、厚みを有するバンド１０の外表面には、先端（バックル２０に近い部分）から末端にかけて鋸歯状の係合溝１２が形成され、バンド１０の末端には、バンド１０を帽子のサイズ元３またはびん皮４に固定するための多数の取付穴１６が穿設されている。
【００１９】
バックル２０は、底板２１、これに対向する天井枠２２、および底板２１と天井枠２２とを接続する側板２３、２３とからなる偏平かつ筒状のバックル本体２４により主体が構成されている。バックル本体２４はバンド１０のスライド方向が挿通口として開口され、その内部はバンド１０の挿通空間２６となる。本実施形態では、底板２１の長手方向（バンド１０のスライド方向）の長さを天井枠２２の長手方向の長さよりも長くすることにより、底板２１に形成した取付穴２７によりサイズ元３またはびん皮４への取付を容易にすると共に、バンド１０の挿通がスムーズに行われるようにしている。
【００２０】
天井枠２２の内側には、その内に納まる大きさの操作板３０が水平に設置される。操作板３０の一端部下面には、バンド１０の係合溝１２に係合可能な係合爪３１を突設し、他端部の上面は係合解除用の押圧部３２となる。
【００２１】
操作板３０の長手方向の中間地点には、連結軸３５が形成され、この連結軸３５は両側板２３、２３の上部内壁に連結されている。連結軸３５の断面形状は、円形、楕円形、その他種々の形状とすることができる。連結軸３５は操作板３０を揺動自在に軸支すると共に、反復的な揺動により破損しない形状であれば差し支えない。なお、連結軸３５は両側板２３、２３に限らず、操作板３０と対向する天井枠２２の二辺に支承されていても、後述する作用と同じ作用を発揮することができる。
【００２２】
本発明の操作板３０において、押圧部３２と連結軸３５間の横幅は、操作板３０の揺動と強度を満たす限りにおいてなるべく狭く設定されると共に、バックル本体２４においては、対向する天井枠２２、２２から、規制部材としての張出部２８、２８が内側に向かって水平方向に伸出している。この規制部材は、押圧部３２に垂直方向の力が不用意に作用するのを規制するための部材である。
【００２３】
図２に示す実施形態では、操作板３０の一端部（係合爪３１の設けられた側）を、対向する両側板２３、２３の内壁に連結している。当該連結は、操作板３０の隅角部から延びる屈曲した連結部材３６、３６によりなされており、押圧部３２を押し下げた後、押圧部３２から指を離した時点で操作板３０が元の水平状態に復元し易くしたものである。従って、連結部材３６の形状としてはこの他にも、波板等、種々のものを適用することができる。換言すれば、連結部材３６は操作板３０の揺動動作に対するダンパーとしての機能を有するものである。
なお、操作板３０と側板２３との連結は、連結軸３５を挟んで押圧部３２の反対側であれば良く、前記一端部以外である操作板３０の側縁部でも良いし、側板２３に代えて天井枠２２に連結しても良い。
【００２４】
操作板３０の一端部（係合爪３１の設けられた側）に設けた突起３３は、係合解除時に操作板３０の押圧部３２が必要以上に押し下げられるのを防止するためのストッパである。
また、符号３４も押圧部３２の押し下げ時に張出部２８の側面に当接して（図２（３）参照）、押圧部３２が必要以上に押し下げられ、操作板３０がバンド１０の上面に当たるのを防止するためのストッパである。これらのストッパ３３、３４はいずれか一方を備えれば十分である。
【００２５】
バンド１０とバックル２０は、可撓性を有する合成樹脂により成型することができる。バンド１０を合成樹脂製とすることにより、バンド１０がびん皮４とサイズ元３の間をスムーズに挿通するようになる。即ち、合成樹脂はびん皮４やサイズ元３の生地（布、織物）よりも剛性が高いので、バンド１０の挿通が容易となる。
【００２６】
また、バックル２０は操作板３０を連結軸３５の周囲に揺動させる必要から、ポリアセタール、ポリオキシメチレン、ポリアミド、ポリカーボネートなどの弾性を有する合成樹脂により成型することが好ましい。このバックル２０は、僅かな部品により構成され、かつ、簡易な構造の故に、金型で容易に一体成型することができる。
【００２７】
続いて、図１に示すサイズ調整機構の作用を説明する。
帽子サイズを調整するには、帽子を被らない状態において一方の手の指先で、サイズ元３（またはびん皮４）においてバンド１０に相当する位置を持ち、他方の手の指先で内側にスライドアジャスタ８が設けられているサイズ元３（またはびん皮４）を持ち、両手を近づければ良い。
図３はこのときの帽子の裾周りが収縮した状態を示す斜視図であり、スライドアジャスタ８付近のサイズ元３と帽体２に皺６が形成されることが示されている。
【００２８】
この操作によって、帽子のサイズを小さく調整することができるが、両手を引離しても、スライドアジャスタ８の作用によって、帽子のサイズが大きくなることはない。帽子のサイズを大きくする、即ちサイズ元３を伸ばすには、スライドアジャスタ８の押圧部３２が隠れている部分に相当するサイズ元３またはびん皮４を指先等で押圧すれば良い。
【００２９】
図４は、本発明のサイズ調整機構を備えた帽子の背面図である。
図４（１）の実施形態では、スライドアジャスタ８は帽体２の内側に完全に隠れており、外観に現れることはない。
図４（２）の実施形態では、スライドアジャスタ８の押圧部３２が隠れている部分に相当する帽体２の生地にマーク４０が記されている。
図４（３）の実施形態では、スライドアジャスタ８の押圧部３２に相当する帽体２の生地に開口４１が設けられており、開口４１から押圧部３２が外観に現れた状態が示されている。
【００３０】
次に、上記スライドアジャスタの作用を説明する。図２（２）は、バックル２０の挿通空間２６内にバンド１０が挿入され、バンド１０の外表面に形成された係合溝１２に、バックル２０の係合爪３１が係合した状態を示している。係合溝１２はスライド方向の断面形状が鋸歯状、即ち、バンド１０の進行方向に向けて漸次深くなるテーパ面と、この最深位置より略垂直に立上る壁面とからなっている。
【００３１】
バンド１０を押圧部３２側（図２（２）において左側）からバックル本体２４の挿通空間２６内に進入させていくと、バンド１０の上面が操作板３０の係合爪３１に接触して、操作板３０の一端部（係合爪３１が形成された側）を押し上げながら前進し、バックル２０に対するバンド１０の接近・離隔位置が調節される。この状態では、図２（２）に示すように、係合爪３１が所定の係合溝１２と噛み合って係止しているので、バンド１０はバックル２０に対して進出自在であるが、後退不能である。
【００３２】
他方、バックル２０からバンド１０を後退させたり、引き抜いたりするには、操作板２０の押圧部３２を軽く指で押し下げれば、図２（３）に示すように、連結軸３５を中心として操作板３０が回転する結果、反対側に位置する係合爪３１が持ち上がり、係合爪３１が係合溝１２から外れるので、バンド１０を自由にスライドさせることができる。押圧部３２から指を離せば、押圧部３２は合成樹脂の弾性により元の水平状態に復帰する。
【００３３】
本発明において、スライドアジャスタ８は上記の構造を有するものに限らず、バンドに係合溝を設け、この溝にバックルのフックを弾性的に係合し、バンドに対して略垂直方向に作動するプッシュボタンにより随時、この係止状態を解放可能とするようなバックルとバンドとからなるスライドアジャスタであれば、いずれの構造のものでも良い。
【００３４】
また、図２の実施形態においてバックル本体２４は、底板２１、天井枠２２、および側板２３、２３とから構成されているが、天井枠２２は４辺全てが必要なわけではなく、連結軸３５に平行な辺は２辺共なくても良いし、いずれか１辺でも良い。
また、天井枠２２自体は必ずしも必要でない。天井枠２２を省略したバックル本体２４であれば、底板２１、側板２３、２３、および連結軸３５によってバンド１０のための挿通空間２６が形成されることになる。また、連結部材３６、３６によっても挿通空間２６は形成され得る。
【００３５】
本発明では前記したサイズ調整動作をスムーズに行う為に、びん皮４とサイズ元３の間にバンド１０の前端部が進入可能な鞘（図示せず。）を設けても良い。また、びん皮４および／またはサイズ元３において、バンド１０の前端部の進入位置に摩擦低減シート（図示せず。）を設けても良い。バンド１０の前端部は、鞘に導かれて、また、摩擦低減シートに沿って進入する結果、バンド１０の挿通がスムーズになる。
【００３６】
前記図１に示す実施形態では、キャップタイプの帽子について説明したが、本発明に係る帽子のサイズ調整機構はハンチングなどにも適用することが可能である。この場合もキャップタイプの帽子と同様に、スライドアジャスタ８が取り付けられる帽体２の裾部の生地（サイズ元３）やびん皮４にはタックまたは皺を入れることになる。
【００３７】
びん皮４を備えた帽子にあっては、内側にバンド１０またはバックル２０が位置する部分のびん皮４に、バンド１０またはバックル２０の可視化手段を備えることにより、サイズ元３の長さ調整を容易にすることができる。
図５は、可視化手段を備えたびん皮４の部分平面図であり、この実施形態では貫通孔５を以て可視化手段としている。図５に示すように、びん皮４の幅に合わせて複数の貫通孔５、５・・・を設けておけば、内側に隠れたバンド１０またはバックル２０の位置を視認することができる。このとき、びん皮４とバンド１０またはバックル２０との色が異なれば、一層視認することが容易となる。
可視化手段としては、貫通孔５、５・・・を細長いスリットとしても良いし、びん皮４を透明または半透明とすることもできる。
【００３８】
本発明の帽子の頭周りの長さ調整機構において、びん皮４は必ずしも設ける必要はない。びん皮４を設けない場合には、バックル２０は（または、バンド１０とバックル２０は）、サイズ元３に固定されるから、スライドアジャスタ８を収縮させると、即ち、帽子を被着した状態において、頭部にはバンド１０が接触するがサイズ元３は接触しないで、頭部とサイズ元３の間に隙間が形成されるため、帽子の被着者は涼感を感じ易くなる。また、頭髪との接触部分も限定された領域となるので、当該帽子を被着しても頭髪の乱れを大幅に低減させることができる。
同様の効果は、バンド１０の位置する部分だけびん皮４を設けないことによって、あるいは、頭周りにびん皮４を設けたとしても、スライドアジャスタ８を構成するバンド１０だけをびん皮４の表面（頭部と接触する面）に露出することによっても、達成することができる。
【００３９】
また、これまでの説明においては、バンド１０の長さとして長さ調整機構として十分な長さを前提として述べてきたが、本発明の別の実施形態では、バンド１０をサイズ元３の内側に沿って１周する長さとすれば、前記涼感効果、頭髪の乱れ防止効果に加えて、帽子に皺６またはタックを形成させる必要が無くなると云う効果をも享受することができる。
【産業上の利用可能性】
【００４０】
以上、帽子のサイズ調整機構に係る実施形態について説明したが、サンバイザ、ズボンの裾部、腰部、スカートの腰部においても、前記スライドアジャスタを介在させることによって、同じ作用機能を有する服飾品のサイズ調整機構を構成することができる。また、帽子については、キャップ、ハンチングなど、幅広く適用することができる。更に、エコバッグ等の口部にも適用することができる。
【図１】
2011120862.tif 000003
【図２】
2011120862.tif 000004
【図３】
2011120862.tif 000005
【図４】
2011120862.tif 000006
【図５】
2011120862.tif 000007